(57)【要約】【課題】間仕切り板の厚さによらず対応可能な支持用具を提供する。【解決手段】基板４と、基板から立設させた支柱１と、支柱から略水平方向に開口させると共に、支柱から直角四方向に配設した支持溝体２と、支持溝体を構成する対向した溝板２０と、溝板間に開口した貫通孔２０ｂと、貫通孔に挿入して間仕切り板を保持する保持部材３とから構成する。溝板は、支柱に沿って２本の折れ筋２０ａから構成した可撓部を有する。また、保持部材は溝板同士を引き寄せる方向に付勢する付勢機構を有する。間仕切り板の厚みに応じて折れ筋を屈曲させて溝板間の開口幅を可変させ、間仕切り板の側端部を溝板間に挿入し、各溝板に設けた貫通孔間に保持部材を差し込んで間仕切り板を保持して間仕切り板を連結する。上方に開口させた支持溝体を有する中間支持用具５を設けて間仕切り板の下端部を溝板間に挿入してもよい。【選択図】      図１
2006177070.tif 000002
【特許請求の範囲】
【請求項１】
略水平な設置面に載置する基板（４）と、
該基板（４）から略垂直に立設させた支柱（１）と、
該支柱（１）から間仕切り材（６）を嵌入し得る可変間隙をもって略水平方向に開口させると共に、前記支柱（１）から直角四方向の一方向または複数方向に配設してなる支持溝体（２）と、
支持溝体（２）を構成する対向した溝板（２０）と、
溝板（２０）間を連通するように開口した貫通孔（２０ｂ）と、
貫通孔（２０ｂ）に挿入して支持溝体（２）に差し込んだ間仕切り材（６）を保持する保持部材（３）と、
から成ることを特徴とした間仕切り材の支持用具。
【請求項２】
溝板（２０）を、
溝板（２０）間の間隙を可変させる可撓部を有する溝板（２０）としたことを特徴とする請求項１記載の間仕切り材の支持用具。
【請求項３】
可撓部を、
支柱（１）に沿って溝板（２０）の幹部に設けた２本の折れ筋（２０ａ）から構成したことを特徴とする請求項２記載の間仕切り材の支持用具。
【請求項４】
保持部材（３）を、
溝板（２０）同士を引き寄せる方向に付勢する付勢機構（３１ａ、３１ｂ）を有する保持部材（３）としたことを特徴とする請求項１、２または３記載の間仕切り材の支持用具。
【請求項５】
請求項１、２、３、または４記載の間仕切り材（６）の支持用具（Ｐ１、Ｐ２、Ｐ３、Ｐ４）を、設置面に対して支柱（１）を上方に立設させた状態で基板（４）の裏面側を設置面に当接させるようして載置し、
上記支持用具（Ｐ１、Ｐ２、Ｐ３、Ｐ４）の支持溝体（２）に、間仕切り材（６）の側端部（６ａ）を嵌入して自立保持、又は連結保持させることにより所望高さで囲まれた壁面（６０）を構成したことを特徴とする間仕切り区画。
【請求項６】
基板（４）上に間仕切り材（６）を嵌入し得る可変間隙をもって上方に向って直線状に開口させた溝板（２０）を有する支持溝体（２）を立設した中間支持用具（５）を設置面に載置し、
上記中間支持用具（５）の支持溝体（２）を、間仕切り材（６）の下端部（６ｂ）の一箇所以上に嵌入させて自立保持、又は連結保持させることにより所望高さで囲まれた壁面（６０）を構成したことを特徴とする請求項５記載の間仕切り区画。
【請求項７】
予め所望の区画域に合わせて設置面に印した、又は想定した区画線に沿って、請求項１、２、３、または４記載の支持用具（Ｐ１、Ｐ２、Ｐ３、Ｐ４）の支柱（１）を略垂直に立設させた状態で載置した後、
該支柱（１）に取り付けた支持溝体（２）に間仕切り材（６）の側端部（６ａ）を嵌入させて、自立保持、又は連結保持させることにより所望高さの壁面（６０）で囲まれた間仕切り区画を形成したことを特徴とする間仕切り区画形成方法。
【請求項８】
基板（４）上に間仕切り材（６）を嵌入し得る可変間隙をもって上方に向って直線状に開口する支持溝体（２）を立設した中間支持用具（５）を、予め所望の区画域に合わせて設置面に印した、又は想定した区画線上に載置し、
上記中間支持用具（５）の支持溝体（２）を、間仕切り材（６）の下端部（６ｂ）の一箇所以上に嵌入させて自立保持、又は連結保持させることにより所望高さで囲まれた壁面（６０）からなる間仕切り区画を形成したことを特徴とする請求項７記載の間仕切り区画形成方法。
【発明の詳細な説明】
【技術分野】
【０００１】
本願発明は、体育館や展示施設などの床面を区画するための簡易な間仕切り構造に関する。
【背景技術】
【０００２】
地震、水害、噴火などの災害時における緊急の避難所としては、１つの大きな空間で構成された体育館や展示施設などの公共施設が利用されており、ここで被災者達は避難指示が解除されるまでの間、共同生活を送ることとなる。
このような個別的な区画や遮蔽のない開放された大空間内での他人同士の共同生活では、被災したことによる恐怖や不安に加えて、他の被災者との慣れない共同生活を強いられることに依る精神的ストレスの増大が無視できないといわれている。
先の阪神淡路大震災の避難所生活では、家族毎に視線を遮る程度の間仕切り区画を設けたところ被災者の精神的ストレスが緩和されることが認められたことで、最近では避難所用の簡易間仕切りがいくつか登場し、導入する地方自治体も増えつつある。
【０００３】
特許文献１では、四隅に切り込みを設けた専用の間仕切りを連結し、その上部および下部を連結段ボールで挟持すると共に、連結段ボールの係合部を間仕切りの切り込みに差し込み、間仕切りの裏側に位置する連結段ボールの切欠部まで貫通させることで間仕切りを固定した間仕切り構造を開示している。
特許文献２、３では、Ｉ字、Ｌ字、Ｔ字、Ｘ字の深溝を有する連結具に、一定の厚さを有する間仕切りの上下端を嵌め込んで連結固定した間仕切り構造を開示している。
【０００４】
特許文献４では、Ｉ字、Ｌ字、Ｔ字、Ｘ字の溝条凹部を有する間柱に、一定の厚さを有する間仕切りの側端を嵌め込んで連結を行い、粘着テープ接合により間柱と間仕切りを固定した間仕切りを開示している。
【特許文献１】特開２００３−１２９５９３、段落０００６−０００９、図２−４等。
【特許文献２】実登録３０２３１１７、段落００１０−００１３、図５−７等。
【特許文献３】特開２００２−１１５３５７、段落００１４−００１７、図１−５等。
【特許文献４】特開Ｈ０８−３０２８６８、段落００１４、図１等。
【発明の開示】
【発明が解決しようとする課題】
【０００５】
しかしながら、上記従来の簡易間仕切りは運搬・設置が容易である反面、長期間使用するには耐久性に難があったり、または、専用仕様の間仕切り材にしか対応しないという問題点があった。このような問題点は、交通事情などにより物資の供給が途絶えることも予想される災害時には、補修材や交換部品の取り寄せに支障を来たす恐れが予測される。さらに、災害用備品である簡易間仕切りは、不定期な突発性、かつ緊急性を考慮して長期定常保管が要請されており、万一、供給会社の倒産や生産中止、または型式変更等により、代替品の無い専用間仕切りではその供給にも問題が残る。
加えて、間仕切り区画は簡易構造であることから、傾いたりぐらついたりすると、間仕切り材に大きな力が加わり、間仕切り材が外れる等して損傷することも多かった。
【０００６】
一方、会社事務所などでは、広い空間を自在に区画する際にパーティション（間仕切り壁）を用いることが多い。このようなパーティションは堅牢であり見栄えもよいが、組立前の状態で保管するには嵩張ることと、重くて可搬性に乏しく、組立には工具類が必要であることから、災害用の間仕切りとして適しているとは言い難いものであった。
本願発明では間仕切りの厚さによらず対応可能とすることで、間仕切り材として入手が容易な汎用品を利用可能とし、平常時および災害時における間仕切りの供給に支障を来たすことがない、新規な、間仕切り材の支持用具、及びこれを用いて組立てた間仕切り区画、並びにその区画形成方法を提供するものである。
【課題を解決するための手段】
【０００７】
上記課題を解決する本願発明は以下のように構成している。
すなわち、第１構成では、略水平な設置面に載置する基板（４）と、上記基板（４）から略垂直に立設させた支柱（１）と、上記支柱（１）から間仕切り材（６）を嵌入し得る可変間隙をもって略水平方向に開口させると共に、前記支柱（１）から直角四方向の一方向または複数方向に配設してなる支持溝体（２）と、支持溝体（２）を構成する対向した溝板（２０）と、溝板（２０）間を連通するように開口した貫通孔（２０ｂ）と、貫通孔（２０ｂ）に挿入して支持溝体（２）に差し込んだ間仕切り材（６）を保持する保持部材（３）と、から成る間仕切り材の支持用具であることを特徴とする。
第２構成では、第１構成における溝板(２０)を、溝板(２０)間の間隙を可変させる可撓部を有する溝板（２０）としたことを特徴とする。
第３構成では、第２構成における可撓部を、支柱（１）の長さ方向（溝板（２０）の長さ方向）に沿って溝板（２０）の幹部に設けた２本の折れ筋（２０ａ）から構成したことを特徴とする。
第４構成では、第１構成から第３構成における保持部材（３）を、溝板（２０）同士を引き寄せる方向に付勢する付勢機構（３１ａ、３１ｂ）を有する保持部材（３）としたことを特徴とする。
【０００８】
第５構成では、第１構成から第４構成の間仕切り材（６）の支持用具（Ｐ１、Ｐ２、Ｐ３、Ｐ４）を、設置面に対して支柱（１）を上方に立設させた状態で基板（４）の裏面側を設置面に当接させるようして載置し、上記支持用具（Ｐ１、Ｐ２、Ｐ３、Ｐ４）の支持溝体（２）に、間仕切り材（６）の側端部（６ａ）を嵌入して自立保持、又は連結保持させることにより所望高さで囲まれた壁面（６０）を構成した間仕切り区画としたことを特徴とする。
第６構成では、第５構成における基板（４）上に間仕切り材（６）を嵌入し得る可変間隙をもって上方に向って直線状に開口させた溝板（２０）を有する支持溝体（２）を立設した中間支持用具（５）を設置面に載置し、上記中間支持用具（５）の支持溝体（２）を、間仕切り材（６）の下端部（６ｂ）の一箇所以上に嵌入させて自立保持、又は連結保持させることにより所望高さで囲まれた壁面（６０）を構成した間仕切り区画としたことを特徴とする。
【０００９】
第７構成では、予め所望の区画域に合わせて設置面に印した、又は想定した区画線に沿って、請求項１、２、３、または４記載の支持用具（Ｐ１、Ｐ２、Ｐ３、Ｐ４）の支柱（１）を略垂直に立設させた状態で載置した後、上記支柱（１）に取り付けた支持溝体（２）に間仕切り材（６）の側端部（６ａ）を嵌入させて、自立保持、又は連結保持させることにより所望高さの壁面（６０）で囲まれた間仕切り区画を形成する間仕切り区画形成方法を特徴とする。
第８構成では、第７構成における基板（４）上に間仕切り材（６）を嵌入し得る可変間隙をもって上方に向って直線状に開口する支持溝体（２）を立設した中間支持用具（５）を、予め所望の区画域に合わせて設置面に印した、又は想定した区画線上に載置し、上記中間支持用具（５）の支持溝体（２）を、間仕切り材（６）の下端部（６ｂ）の一箇所以上に嵌入させて自立保持、又は連結保持させることにより所望高さで囲まれた壁面（６０）からなる間仕切り区画を形成する間仕切り区画形成方法を特徴とする。
【００１０】
上記構成により、支持用具は間仕切り材の厚みによらず対応し、特に、可撓部を有する溝板で間仕切り材を保持した場合には、間仕切り区画のぐらつき等による変形を可撓部が吸収するので、間仕切り材が外れたり、損傷を受けることが抑制されて間仕切り区画が長寿命化する。
また、間仕切り区画の組立手順は容易であることから、被災者自らが短時間で間仕切り区画の組立てを行い、避難所におけるプライバシー確保が迅速に図られる。
【００１１】
さらに、引張り方向に付勢する保持部材を用いることで、溝板により間仕切り材を両面からしっかりと挟持した状態で保持することとなり、間仕切り区画構造全体としての強度が高くなることから、間仕切り区画自立時の安定性の向上に寄与する。
加えて、床材を敷設する場合、基板と中間支持用具の上面に設けた凸状部を床材の裏面側に食い込むことにより、基板と中間支持用具が固定されることとなる。
なお、明細書、および図面で用いる符号は、本願発明の技術的思想の理解を容易にするために付したものに過ぎず、これにより本願発明を限定的に解釈してはならない。
【発明の効果】
【００１２】
本願発明は以下の効果を奏するものである。すなわち、間仕切り材の厚さによらず対応可能であり、平常時および災害時において最も調達しやすい汎用品の段ボール板、ベニヤ板、布地等を間仕切り材として使用できる。
また、簡単な組立作業により短時間で組立が可能であり、組立手順も容易であることから、被災者自らが組立てることもでき、避難所におけるプライバシー確保を迅速に図ることができる。
【００１３】
完成した間仕切り区画は、基板と中間支持用具の対向壁間に間仕切りを挟持した状態で保持するため、間仕切り区画全体としての強度を向上させることができる。特に、可撓部を有する溝板を採用した場合には、間仕切り区画のぐらつき等による変形を可撓部が吸収することができ、間仕切り区画全体を長寿命化させることができる。
【００１４】
さらに、基板、支柱、保持部材はコンパクトに収納可能であり、各避難所で保管場所の確保も容易である。加えて、間仕切り材については、紙、天然繊維布地、木材を選択しておけば、燃やすことで調理したり暖をとるために有効活用可能であり、廃棄する際の環境問題が発生しにくいなど、その効果は顕著である。
【発明を実施するための最良の形態】
【００１５】
以下、本願発明について、実施例に基づき詳細に説明する。
【実施例１】
【００１６】
図１は実施例における支持用具Ｐ１を示す斜視図であり、図２は実施例における支持用具Ｐ２を示す斜視図であり、図３は実施例における支持用具Ｐ３を示す斜視図であり、図４は実施例における支持用具Ｐ４を示す斜視図であり、図５は実施例における中間支持用具を示す斜視図であり、図６は実施例における保持部材を示す説明図である。
本実施形態の支持用具Ｐ１〜Ｐ４は、支柱１、支持溝体２、保持部材３、基板４とから構成している。
【００１７】
支柱１は、四角柱状の棒体であり、金属、樹脂あるいはこれらを組み合わせにより後述する基板４の面に対して略垂直に、かつ所定の保形強度をもって立設状に形成している。
さらに支柱１の側面１０には、支持溝体２を一体に、又は一体的に形成している。この支持溝体２は、支柱１と同程度の長さと幅を有する断面コの字状の棒体とし、支柱１の側面１０に沿って、放射外側方向に開口するように１方向または複数方向に支持溝体２を取り付けている。なお、区画域を矩形とする場合は、直角四方向の１方向または複数方向の組合わせによって配設している。
支持溝体２の断面コの字形状は、所定間隔を隔てて対向配置した一対の溝板２０により構成しており、溝板２０にはその長さ方向に沿って所定間隔で２本の折れ筋２０ａを設けて可撓部としている。折れ筋２０ａは、溝板２０の長さ方向に沿って設けたＶ字状の切り込み溝により形成している。また、折れ筋２０ａの反支柱１側の溝板２０には、長さ方向に沿って所定間隔で貫通孔２０ｂを対向するように開口させている。
【００１８】
保持部材３は、貫通孔２０ｂより拡大した外形を有する円板状の拡大部３０の中央付近から丸棒状の棒体部３１を延出したものである。棒体部３１の先端側には、ヒンジ等を介して中折れ部３１ａを屈曲自在に連結している。中折れ部３１ａと拡大部３０との間の棒体部３１は、付勢機構としてのコイルばね３１ｂを介して連結している。
【００１９】
基板４は、支持溝体２を取り付けた支柱１より大きな外形状と所定の重量を有する金属板等から構成しており、設置面にその裏面側を当接させるようにして載置している。基板４の上面には支柱１を取り付けており、安定した状態で支柱１を直立させている。また、基板４の上面四隅には突起状の凸状部４ａを設けている。
以上の構成より、４方向に開口する支持溝体２を支柱１に取り付けた支持用具Ｐ１、３方向に開口する支持溝体２を支柱１に取り付けた支持用具Ｐ２、２方向に開口する支持溝体２を支柱１に取り付けた支持用具Ｐ３、１方向に開口する支持溝体２を支柱１に取り付けた支持用具Ｐ４を形成している。
また、設置面には、上向きに開口させた状態の支持溝体２を基板４の上面に取り付けた中間支持用具５を載置している。中間支持用具５に用いる支持溝体２は、支柱１に用いる支持溝体２と同一構成であるが、基板４程度の長さとしており、その溝板２０には一対の貫通孔２０ｂのみ開口させている。
【００２０】
間仕切り材６としては、紙、木、布地、または発泡樹脂製の汎用品、例えば、段ボール板、ベニア板、養生用シート、カーテン布、または発泡樹脂板を使用することができる。
なお、本実施例では、基板４の大きさを２００ｍｍ程度の正方形状としている。支持溝体２の長さは、支柱１に用いるものを９００ｍｍ程度、中間支持用具５に用いるものを２００ｍｍ程度としている。また、間仕切り材６については、例えば、１８００ｍｍＸ９００ｍｍ、９００ｍｍＸ９００ｍｍ等の外形寸法を有し、３０ｍｍ程度までの厚みを有する市販品の段ボール板、養生シート、ベニヤ板等を利用可能である。
[実施例の作用]
【００２１】
以下、支持用具Ｐ１〜Ｐ４を用いて形成した間仕切り区画例について説明する。図７は実施例における支持用具を用いた間仕切り区画の組立説明図である。図８および図９は実施例における支持溝体への間仕切りの取付説明図である。図１０は実施例における間仕切り区画の連結例である。図１１は実施例における間仕切り区画の配置例である。
【００２２】
まず、予め所望の区画域に合わせて設置面に印した、又は想定した区画線に沿って、間仕切り材６の長さ毎に支持用具Ｐ１〜Ｐ４を設置し、支持用具Ｐ１〜Ｐ４間には中間支持用具５を必要に応じて適宜間隔で設置する（図７）。
次に、支持用具Ｐ１〜Ｐ４の溝板２０の間隔を、間仕切り材６の厚みに応じて支持溝体２の溝板２０に形成した２本の折れ筋２０ａを相互に反対側に折り曲げて溝板２０間の平行を維持した状態で、溝板２０間の開口幅を広げた後（図８ａ）または溝板２０間の開口幅を狭めた後（図８ｂ）、間仕切り材６の側端部６ａを支持溝体２内に挿入する。
中間支持用具５の溝板２０の間隔についても同様に、間仕切り材６の厚みに応じて支持溝体２の溝板２０に形成した２本の折れ筋２０ａを相互に反対側に折り曲げて溝板２０間の平行を維持した状態で、溝板２０間の開口幅を広げた後（図８ａ）または溝板２０間の開口幅を狭めた後（図８ｂ）、間仕切り材６の下端部６ｂを支持溝体２内に挿入する。
支持用具Ｐ１〜Ｐ４および中間支持用具５の溝板２０で間仕切り材６を保持するには、まず、支持溝体２を構成する一方の溝板２０に設けた貫通孔２０ｂから、中折れ部３１ａと棒体部３１を直線状とした保持部材３を差し込み、間仕切り材６を貫通させて、他方の溝板２０の貫通孔２０ｂから中折れ部３１ａの先端側を露出させる。なお、間仕切り材６を開口しにくい場合、間仕切り材６をドリルなどで開口してから保持部材３を差し込むようにする。
【００２３】
続いて、他方の溝板２０の貫通孔２０ｂから保持部材３の中折れ部３１ａ全体が露出するまで引張リ出した後（図９ａ）、中折れ部３１ａを略９０°折り曲げることで、間仕切り材６は拡大部３０と中折れ部３１ａの両側からコイルばね３１ｂによる引張り付勢力が作用した状態で溝板２０間に保持されることとなる（図９ｂ）。
なお、全ての貫通孔２０ｂ間を保持部材３で係止する必要はない。一部破損あるいは欠落した間仕切り材６であれば、使用可能な側端部６ａの部位を保持部材３で係止すればよい。中間支持用具５については、間仕切り材６の破損していない箇所の下端部６ｂまで移動させて保持部材３で係止すればよい。
【００２４】
また、段ボール板等を床材７として間仕切り区画内の床面に敷き詰める場合、支持用具Ｐ１〜Ｐ４および中間支持用具５の基板４上に設けた凸状部４ａが床材７の裏面に食い込むことで、床材７を介して支持用具Ｐ１〜Ｐ４および中間支持用具５が固定されることになる。
以上により、例えば、二人用、三人用、および四人用の間仕切り区画を組合せした間仕切り区画Ａ、Ｂ、Ｃ（図１０ａ〜１０ｃ）を一単位として、避難所の床面積や形状に応じた複数の間仕切り区画が配置される（図１１）。
[他の実施形態の可能性]
【００２５】
本実施例では、一方から四方に開口する支持溝体２を有する４種類の支持用具Ｐ１〜Ｐ４としているが、支持用具Ｐ４のみで支持用具Ｐ１〜Ｐ３を代用してもよい。
また、実施例の保持部材３では、付勢機構としてコイルばね３１ｂを用いているが、引張り付勢力を発揮する他の構成を採用することも可能である。例えば、図１２に示すように、コイルばね３１ｂに替えて屈曲形状を有する一対の板ばね３１ｃを介して中折れ部３１ａと棒体部３１の根本側を連結してもよい。
さらに、中間支持用具５は間仕切りの支持用具の必須構成要素ではないため省略した構成としてもよい。
加えて、支柱１及び支持溝体２の長さは、間仕切り材６の高さに合致させる必要はなくその長さは適宜である。
さらに加えて、可撓部の構成は、２本の折れ筋間を薄肉帯状として可撓性を持たせるようにしてもよい。
【図面の簡単な説明】
【００２６】
【図１】実施例における支持用具Ｐ１を示す斜視図である。
【図２】実施例における支持用具Ｐ２を示す斜視図である。
【図３】実施例における支持用具Ｐ３を示す斜視図である。
【図４】実施例における支持用具Ｐ４を示す斜視図である。
【図５】実施例における中間支持用具を示す斜視図である。
【図６】実施例における保持部材を示す説明図である。
【図７】実施例における支持用具を用いた間仕切り区画の組立説明図である。
【図８】実施例における支持溝体への間仕切りの取付説明図である。
【図９】実施例における支持溝体への間仕切りの取付説明図である。
【図１０】実施例における間仕切り区画の連結例である。
【図１１】実施例における間仕切り区画の配置例である。
【図１２】他の実施形態における保持部材を示す説明図である。
【符号の説明】
【００２７】
Ｐ１  支持用具（４方向）
Ｐ２  支持用具（３方向）
Ｐ３  支持用具（２方向）
Ｐ４  支持用具（１方向）
１  支柱
１０  側面
２支持溝体
２０  溝板
２０ａ  折れ筋
２０ｂ  貫通孔
３  保持部材
３０  拡大部
３１  棒体部
３１ａ  中折れ部
３１ｂ  コイルばね
３１ｃ  板ばね
４  基板
４ａ  凸状部
５  中間支持用具
６  間仕切り材
６ａ  側端部
６ｂ  下端部
６０  壁面
７  床材
Ａ  間仕切り区画
Ｂ  間仕切り区画
Ｃ  間仕切り区画
【図１】
2006177070.tif 000003
【図２】
2006177070.tif 000004
【図３】
2006177070.tif 000005
【図４】
2006177070.tif 000006
【図５】
2006177070.tif 000007
【図６】
2006177070.tif 000008
【図７】
2006177070.tif 000009
【図８】
2006177070.tif 000010
【図９】
2006177070.tif 000011
【図１０】
2006177070.tif 000012
【図１１】
2006177070.tif 000013
【図１２】
2006177070.tif 000014